(57)【要約】【課題】  ゲートウェイ装置のＩＰアドレスが固定でなくても、ゲートウェイ制御装置がゲートウェイ装置を制御できる。【解決手段】  本発明のＩＰ通信システムは、加入者端末を収容したゲートウェイ装置と、マスタースレーブ型のアーキテクチャに従ったプロトコルで加入者側に設置されたゲートウェイ装置を制御するゲートウェイ制御装置と、このゲートウェイ制御装置に加入者情報を提供する加入者情報データベースと、動的にＩＰアドレスを割当てるＩＰアドレス割当装置とを有する。そして、ゲートウェイ装置がＩＰアドレス割当装置にＩＰアドレスの割当てを要求してＩＰアドレスを得、そのＩＰアドレスをゲートウェイ制御装置に通知し、加入者情報データベースに格納させる。【選択図】      図１
2005347801.tif 000002
【特許請求の範囲】
【請求項１】
加入者端末を収容したゲートウェイ装置と、
マスタースレーブ型のアーキテクチャに従ったプロトコルで加入者側に設置された上記ゲートウェイ装置を制御するゲートウェイ制御装置と、
このゲートウェイ制御装置に加入者情報を提供する加入者情報データベースと、
動的にＩＰアドレスを割当てるＩＰアドレス割当装置とを有し、
上記ゲートウェイ装置が上記ＩＰアドレス割当装置にＩＰアドレスの割当てを要求してＩＰアドレスを得、そのＩＰアドレスを上記ゲートウェイ制御装置に通知することを特徴とするＩＰ通信システム。
【請求項２】
上記ＩＰアドレス割当装置は、ＩＰアドレスの付与を許可された全ての上記ゲートウェイ装置の識別情報とそのゲートウェイ装置を管理するゲートウェイ制御装置の識別情報との関係と、ＩＰアドレスのリストとを有し、
ＩＰアドレスのリストは、ＩＰアドレス毎に、少なくとも割当先のゲートウェイ装置の識別情報とその有効期限とを対応付けて構成されていると共に、割当済みのＩＰアドレスについてはゲートウェイ装置の識別情報とその有効期限が保持され、未割当のＩＰアドレスについてはこれらの情報が設定されておらず、ＩＰアドレスが割当済みか否かを管理でき、
上記ＩＰアドレス割当装置は、いずれかの上記ゲートウェイ装置からのＩＰアドレスの割当要求に従って、要求してきたゲートウェイ装置の識別情報を保持していることを確認した上で、ＩＰアドレスのリストに、このゲートウェイ装置の識別情報が保持されていれば、同一のＩＰアドレスを再割当して有効期限を更新し、保持されていなければ、未割当のＩＰアドレスのうちの一つを選択して、選択したＩＰアドレスとゲートウェイ制御装置の識別情報とを返却し、ＩＰアドレスのリストにおけるこのＩＰアドレスに対し、割当先のゲートウェイ装置の識別情報と有効期限を関連付けて保持する
ことを特徴とする請求項１に記載のＩＰ通信システム。
【請求項３】
上記ゲートウェイ装置が、公衆電話網から加入者に向かって送信される電話サービスの信号と、ＩＰサービスの信号とを分離すると共に、逆方向の信号を混合する機能部と、上記ＩＰアドレス割当装置に対して、自装置の識別情報を送信することでＩＰアドレスの付与と当該ゲートウェイ装置を管理するゲートウェイ制御装置の識別情報の取得を要求し、その要求に従って、上記ＩＰアドレス割当装置が返信した情報を受信して保持する機能と、上記ＩＰアドレス割当装置から付与されたＩＰアドレスを用いてインターネット接続を実現する機能と、端末装置としてのアナログ電話機を接続する機能と、アナログ電話機に接続してＩＰ電話サービスを実現するための信号処理の機能と、ＩＰアドレスの付与を契機に、自装置の識別情報としてＭＡＣアドレスを含むエンドポイント識別子を持った、ＩＰ電話制御信号処理に基づいた制御信号を発行する機能とを有することを特徴とする請求項１又は２に記載のＩＰ通信システム。
【請求項４】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、加入者を識別する電話番号とを管理している不揮発性のものであることを特徴とする請求項１〜３のいずれかに記載のＩＰ通信システム。
【請求項５】
上記ゲートウェイ制御装置は、加入者情報データベースで管理する情報を用いて、マスタースレーブ型のアーキテクチャに従ったプロトコルで上記ゲートウェイ装置を、ＩＰ網とキャリア網を介して制御することにより、キャリア網に収容されている加入者に対してＩＰ電話サービスを提供する機能と、上記ゲートウェイ装置からのＩＰアドレス割当の通知を受け付けると、その通知に含まれているゲートウェイ装置を識別する情報と、加入者情報データベースで管理する情報とを照合する機能と、照合に成功した際に上記通知のＩＰパケットに含まれる送信元ＩＰアドレスを取得して該当するゲートウェイ装置の識別情報に対応するＩＰアドレスとして加入者情報データベースに保持する機能とを有することを特徴とする請求項１〜４のいずれかに記載のＩＰ通信システム。
【請求項６】
上記ゲートウェイ制御装置は、自装置が初期化された場合に、上記加入者情報データベースから登録されている全加入者に関する情報を取得して、ＩＰアドレスが保持されている上記各ゲートウェイ装置に対して状態の初期化の指示メッセージを送出する機能と、上記各ゲートウェイ装置からの初期化に成功した応答を予め設定した時間内に受信できない場合に予め設定した回数だけ初期化の指示メッセージの送出を繰り返す機能と、予め設定した回数繰り返して成功応答を受信できないときには加入者情報データベースに設定されている該当するＩＰアドレスを無効にする機能とを有することを特徴とする請求項５に記載のＩＰ通信システム。
【請求項７】
ホスト名とＩＰアドレスを対応付けて管理するホスト名／ＩＰアドレス変換サーバをさらに有することを特徴とする請求項１に記載のＩＰ通信システム。
【請求項８】
上記ＩＰアドレス割当装置は、ＩＰアドレスの付与を許可された全ての上記ゲートウェイ装置の識別情報と、そのゲートウェイ装置を管理するゲートウェイ制御装置の識別情報と、そのゲートウェイ装置に対応するホスト名／ＩＰアドレス変換サーバへアクセス可能な識別情報との関係と、ＩＰアドレスのリストとを有し、
ＩＰアドレスのリストは、ＩＰアドレス毎に、少なくとも割当先のゲートウェイ装置の識別情報とその有効期限とを対応付けて構成されていると共に、割当済みのＩＰアドレスについてはゲートウェイ装置の識別情報とその有効期限が保持され、未割当のＩＰアドレスについてはこれらの情報が設定されておらず、ＩＰアドレスが割当済みか否かを管理でき、
上記ＩＰアドレス割当装置は、いずれかの上記ゲートウェイ装置からのＩＰアドレスの割当要求に従って、要求してきたゲートウェイ装置の識別情報を保持していることを確認した上で、ＩＰアドレスのリストに、このゲートウェイ装置の識別情報が保持されていれば、同一のＩＰアドレスを再割当して有効期限を更新し、保持されていなければ、未割当のＩＰアドレスのうちの一つを選択して、選択したＩＰアドレスとゲートウェイ制御装置の識別情報とホスト名／ＩＰアドレス変換サーバへアクセス可能な識別情報とを返却し、ＩＰアドレスのリストにおけるこのＩＰアドレスに対し、割当先のゲートウェイ装置の識別情報と有効期限を関連付けて保持する
ことを特徴とする請求項７に記載のＩＰ通信システム。
【請求項９】
上記ゲートウェイ装置が、公衆電話網から加入者に向かって送信される電話サービスの信号と、ＩＰサービスの信号とを分離すると共に、逆方向の信号を混合する機能部と、上記ＩＰアドレス割当装置に対して、自装置の識別情報を送信することでＩＰアドレスの付与と当該ゲートウェイ装置を管理するゲートウェイ制御装置の識別情報の取得を要求し、その要求に従って、上記ＩＰアドレス割当装置が返信した情報を受信して保持する機能と、上記ＩＰアドレス割当装置から付与されたＩＰアドレスを用いてインターネット接続を実現する機能と、端末装置としてのアナログ電話機を接続する機能と、アナログ電話機に接続してＩＰ電話サービスを実現するための信号処理の機能と、ＩＰアドレスの付与を契機に、自装置の識別情報としてＭＡＣアドレスを含むエンドポイント識別子を持った、ＩＰ電話制御信号処理に基づいた制御信号を発行する機能と、ＩＰアドレスの割当を契機に、少なくとも自ホスト名と割当てられたＩＰアドレスとをパラメータとしてホスト名／ＩＰアドレス変換サーバにＩＰアドレスの登録を依頼するクライアントとしての機能とを有することを特徴とする請求項７又は８に記載のＩＰ通信システム。
【請求項１０】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、加入者を識別する電話番号と、ホスト名とを管理している不揮発性のものであることを特徴とする請求項７〜９のいずれかに記載のＩＰ通信システム。
【請求項１１】
上記ゲートウェイ制御装置は、自装置が初期化された場合に、上記加入者情報データベースから登録されている全加入者に関する情報を取得して、そこに含まれているホスト名に基づいてホスト名／ＩＰアドレス変換サーバにＩＰアドレス解決を要求し、ＩＰアドレスが取得できたホスト名を付与されているゲートウェイ装置について、加入者データベースのＩＰアドレス設定領域を設定すると共に、そのゲートウェイ装置に対して状態の初期化の指示メッセージを送出する機能と、上記各ゲートウェイ装置からの初期化に成功した応答を予め設定した時間内に受信できない場合に予め設定した回数だけ初期化の指示メッセージの送出を繰り返す機能と、予め設定した回数繰り返して成功応答を受信できないときには加入者情報データベースに設定されている該当するＩＰアドレスを無効にする機能とを有することを特徴とする請求項７〜１０のいずれかに記載のＩＰ通信システム。
【請求項１２】
上記ゲートウェイ制御装置は、いずれかの上記ゲートウェイ装置からのＩＰアドレス割当の通知を受信した際に、上記加入者情報データベースで管理するデータに基づいてそのゲートウェイ装置のホスト名を取得し、少なくともそのホスト名をパラメータとしてホスト名／ＩＰアドレス変換サーバにＩＰアドレス解決を依頼して、その結果を受信する機能と、得られたＩＰアドレスとそのゲートウェイ装置からのＩＰアドレス割当の通知における送信元ＩＰアドレスとを照合して、一致した場合に限り、このＩＰアドレスを、そのゲートウェイ装置のＩＰアドレスとして上記加入者情報データベースに保持する機能とを有することを特徴とする請求項１１に記載のＩＰ通信システム。
【請求項１３】
上記ゲートウェイ装置は、上記ゲートウェイ制御装置にＩＰアドレス割当の通知を行う際に、上記ＩＰアドレス割当装置から与えられた割当てられたＩＰアドレスの有効期限を一緒に通知することを特徴とする請求項３に記載のＩＰ通信システム。
【請求項１４】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、その有効期限と、加入者を識別する電話番号とを管理している不揮発性のものであることを特徴とする請求項１３に記載のＩＰ通信システム。
【請求項１５】
上記ゲートウェイ制御装置は、加入者情報データベースで管理する情報を用いて、マスタースレーブ型のアーキテクチャに従ったプロトコルで上記ゲートウェイ装置を、ＩＰ網とキャリア網を介して制御することにより、キャリア網に収容されている加入者に対してＩＰ電話サービスを提供する機能と、上記ゲートウェイ装置からのＩＰアドレス割当の通知を受け付けると、その通知に含まれているゲートウェイ装置を識別する情報と、加入者情報データベースで管理する情報とを照合する機能と、照合に成功した際に上記通知のＩＰパケットに含まれる送信元ＩＰアドレスを取得して該当するゲートウェイ装置の識別情報に対応するＩＰアドレスとし、通知に含まれている有効期限と共に加入者情報データベースに保持する機能と、呼処理を行う際にこの有効期限を参照して満了していない場合にのみ呼処理を行う機能とを有することを特徴とする請求項１４に記載のＩＰ通信システム。
【請求項１６】
上記ゲートウェイ制御装置は、自装置が初期化された場合には、上記有効期限を参照して満了していない場合にのみゲートウェイ装置の状態初期化を指示する機能を有することを特徴とする請求項１５に記載のＩＰ通信システム。
【請求項１７】
上記ゲートウェイ装置は、上記ゲートウェイ制御装置にＩＰアドレス割当の通知を行う際に、上記ＩＰアドレス割当装置から与えられた割当てられたＩＰアドレスの有効期限を一緒に通知することを特徴とする請求項９に記載のＩＰ通信システム。
【請求項１８】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、その有効期限と、加入者を識別する電話番号と、ホスト名とを管理している不揮発性のものであることを特徴とする請求項１７に記載のＩＰ通信システム。
【請求項１９】
上記ゲートウェイ制御装置は、上記ゲートウェイ装置からのＩＰアドレス割当の通知を受信した際に、上記加入者情報データベースにおけるこのゲートウェイ装置の有効期限の領域に受信した有効期限を設定する機能と、呼処理を行う際にこの有効期限を参照して満了していない場合にのみ呼処理を行う機能とを有することを特徴とする請求項１８に記載のＩＰ通信システム。
【請求項２０】
上記ゲートウェイ制御装置は、自装置が初期化された場合には、上記加入者情報データベースにＩＰアドレスが登録されていて、かつＩＰアドレスの有効期限が満了していないゲートウェイ装置を抽出する機能と、この処理で抽出できず対象外となったゲートウェイ装置についてのみホスト名／ＩＰアドレス変換サーバに対してＩＰアドレス解決を依頼してＩＰアドレスを収集する機能と、上記の２つの機能で収集された各ゲートウェイ装置に対して状態初期化を指示する機能とを有することを特徴とする請求項１９に記載のＩＰ通信システム。
【請求項２１】
ＩＰ通信システムが、加入者端末を収容したゲートウェイ装置と、マスタースレーブ型のアーキテクチャに従ったプロトコルで加入者側に設置された上記ゲートウェイ装置を制御するゲートウェイ制御装置と、このゲートウェイ制御装置に加入者情報を提供する加入者情報データベースと、動的にＩＰアドレスを割当てるＩＰアドレス割当装置とを有し、
上記ゲートウェイ装置が上記ＩＰアドレス割当装置にＩＰアドレスの割当てを要求してＩＰアドレスを得、そのＩＰアドレスを上記ゲートウェイ制御装置に通知することを特徴とするＩＰ通信システムのＩＰアドレス割当方法。
【請求項２２】
上記ＩＰアドレス割当装置は、ＩＰアドレスの付与を許可された全ての上記ゲートウェイ装置の識別情報とそのゲートウェイ装置を管理するゲートウェイ制御装置の識別情報との関係と、ＩＰアドレスのリストとを有し、
ＩＰアドレスのリストは、ＩＰアドレス毎に、少なくとも割当先のゲートウェイ装置の識別情報とその有効期限とを対応付けて構成されていると共に、割当済みのＩＰアドレスについてはゲートウェイ装置の識別情報とその有効期限が保持され、未割当のＩＰアドレスについてはこれらの情報が設定されておらず、ＩＰアドレスが割当済みか否かを管理でき、
上記ＩＰアドレス割当装置は、いずれかの上記ゲートウェイ装置からのＩＰアドレスの割当要求に従って、要求してきたゲートウェイ装置の識別情報を保持していることを確認した上で、ＩＰアドレスのリストに、このゲートウェイ装置の識別情報が保持されていれば、同一のＩＰアドレスを再割当して有効期限を更新し、保持されていなければ、未割当のＩＰアドレスのうちの一つを選択して、選択したＩＰアドレスとゲートウェイ制御装置の識別情報とを返却し、ＩＰアドレスのリストにおけるこのＩＰアドレスに対し、割当先のゲートウェイ装置の識別情報と有効期限を関連付けて保持する
ことを特徴とする請求項２１に記載のＩＰ通信システムのＩＰアドレス割当方法。
【請求項２３】
上記ゲートウェイ装置が、公衆電話網から加入者に向かって送信される電話サービスの信号と、ＩＰサービスの信号とを分離すると共に、逆方向の信号を混合する機能と、上記ＩＰアドレス割当装置に対して、自装置の識別情報を送信することでＩＰアドレスの付与と当該ゲートウェイ装置を管理するゲートウェイ制御装置の識別情報の取得を要求し、その要求に従って、上記ＩＰアドレス割当装置が返信した情報を受信して保持する機能と、上記ＩＰアドレス割当装置から付与されたＩＰアドレスを用いてインターネット接続を実現する機能と、端末装置としてのアナログ電話機を接続する機能と、アナログ電話機に接続してＩＰ電話サービスを実現するための信号処理の機能と、ＩＰアドレスの付与を契機に、自装置の識別情報としてＭＡＣアドレスを含むエンドポイント識別子を持った、ＩＰ電話制御信号処理に基づいた制御信号を発行する機能とを実行することを特徴とする請求項２１又は２２に記載のＩＰ通信システムのＩＰアドレス割当方法。
【請求項２４】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、加入者を識別する電話番号とを不揮発的に管理していることを特徴とする請求項２１〜２３のいずれかに記載のＩＰ通信システムのＩＰアドレス割当方法。
【請求項２５】
上記ゲートウェイ制御装置は、加入者情報データベースで管理する情報を用いて、マスタースレーブ型のアーキテクチャに従ったプロトコルで上記ゲートウェイ装置を、ＩＰ網とキャリア網を介して制御することにより、キャリア網に収容されている加入者に対してＩＰ電話サービスを提供する機能と、上記ゲートウェイ装置からのＩＰアドレス割当の通知を受け付けると、その通知に含まれているゲートウェイ装置を識別する情報と、加入者情報データベースで管理する情報とを照合する機能と、照合に成功した際に上記通知のＩＰパケットに含まれる送信元ＩＰアドレスを取得して該当するゲートウェイ装置の識別情報に対応するＩＰアドレスとして加入者情報データベースに保持する機能とを実行することを特徴とする請求項２１〜２４のいずれかに記載のＩＰ通信システムのＩＰアドレス割当方法。
【請求項２６】
上記ゲートウェイ制御装置は、自装置が初期化された場合に、上記加入者情報データベースから登録されている全加入者に関する情報を取得して、ＩＰアドレスが保持されている上記各ゲートウェイ装置に対して状態の初期化の指示メッセージを送出する機能と、上記各ゲートウェイ装置からの初期化に成功した応答を予め設定した時間内に受信できない場合に予め設定した回数だけ初期化の指示メッセージの送出を繰り返す機能と、予め設定した回数繰り返して成功応答を受信できないときには加入者情報データベースに設定されている該当するＩＰアドレスを無効にする機能とを実行することを特徴とする請求項２５に記載のＩＰ通信システムのＩＰアドレス割当方法。
【請求項２７】
ＩＰ通信システムが、ホスト名とＩＰアドレスを対応付けて管理するホスト名／ＩＰアドレス変換サーバをさらに有することを特徴とする請求項２１に記載のＩＰ通信システムのＩＰアドレス割当方法。
【請求項２８】
上記ＩＰアドレス割当装置は、ＩＰアドレスの付与を許可された全ての上記ゲートウェイ装置の識別情報と、そのゲートウェイ装置を管理するゲートウェイ制御装置の識別情報と、そのゲートウェイ装置に対応するホスト名／ＩＰアドレス変換サーバへアクセス可能な識別情報との関係と、ＩＰアドレスのリストとを有し、
ＩＰアドレスのリストは、ＩＰアドレス毎に、少なくとも割当先のゲートウェイ装置の識別情報とその有効期限とを対応付けて構成されていると共に、割当済みのＩＰアドレスについてはゲートウェイ装置の識別情報とその有効期限が保持され、未割当のＩＰアドレスについてはこれらの情報が設定されておらず、ＩＰアドレスが割当済みか否かを管理でき、
上記ＩＰアドレス割当装置は、いずれかの上記ゲートウェイ装置からのＩＰアドレスの割当要求に従って、要求してきたゲートウェイ装置の識別情報を保持していることを確認した上で、ＩＰアドレスのリストに、このゲートウェイ装置の識別情報が保持されていれば、同一のＩＰアドレスを再割当して有効期限を更新し、保持されていなければ、未割当のＩＰアドレスのうちの一つを選択して、選択したＩＰアドレスとゲートウェイ制御装置の識別情報とホスト名／ＩＰアドレス変換サーバへアクセス可能な識別情報とを返却し、ＩＰアドレスのリストにおけるこのＩＰアドレスに対し、割当先のゲートウェイ装置の識別情報と有効期限を関連付けて保持する
ことを特徴とする請求項２７に記載のＩＰ通信システムのＩＰアドレス割当方法。
【請求項２９】
上記ゲートウェイ装置が、公衆電話網から加入者に向かって送信される電話サービスの信号と、ＩＰサービスの信号とを分離すると共に、逆方向の信号を混合する機能と、上記ＩＰアドレス割当装置に対して、自装置の識別情報を送信することでＩＰアドレスの付与と当該ゲートウェイ装置を管理するゲートウェイ制御装置の識別情報の取得を要求し、その要求に従って、上記ＩＰアドレス割当装置が返信した情報を受信して保持する機能と、上記ＩＰアドレス割当装置から付与されたＩＰアドレスを用いてインターネット接続を実現する機能と、端末装置としてのアナログ電話機を接続する機能と、アナログ電話機に接続してＩＰ電話サービスを実現するための信号処理の機能と、ＩＰアドレスの付与を契機に、自装置の識別情報としてＭＡＣアドレスを含むエンドポイント識別子を持った、ＩＰ電話制御信号処理に基づいた制御信号を発行する機能と、ＩＰアドレスの割当を契機に、少なくとも自ホスト名と割当てられたＩＰアドレスとをパラメータとしてホスト名／ＩＰアドレス変換サーバにＩＰアドレスの登録を依頼するクライアントとしての機能とを実行することを特徴とする請求項２７又は２８に記載のＩＰ通信システムのＩＰアドレス割当方法。
【請求項３０】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、加入者を識別する電話番号と、ホスト名とを不揮発的に管理していることを特徴とする請求項２７〜２９のいずれかに記載のＩＰ通信システムのＩＰアドレス割当方法。
【請求項３１】
上記ゲートウェイ制御装置は、自装置が初期化された場合に、上記加入者情報データベースから登録されている全加入者に関する情報を取得して、そこに含まれているホスト名に基づいてホスト名／ＩＰアドレス変換サーバにＩＰアドレス解決を要求し、ＩＰアドレスが取得できたホスト名を付与されているゲートウェイ装置について、加入者データベースのＩＰアドレス設定領域を設定すると共に、そのゲートウェイ装置に対して状態の初期化の指示メッセージを送出する機能と、上記各ゲートウェイ装置からの初期化に成功した応答を予め設定した時間内に受信できない場合に予め設定した回数だけ初期化の指示メッセージの送出を繰り返す機能と、予め設定した回数繰り返して成功応答を受信できないときには加入者情報データベースに設定されている該当するＩＰアドレスを無効にする機能とを実行することを特徴とする請求項２７〜３０のいずれかに記載のＩＰ通信システムのＩＰアドレス割当方法。
【請求項３２】
上記ゲートウェイ制御装置は、いずれかの上記ゲートウェイ装置からのＩＰアドレス割当の通知を受信した際に、上記加入者情報データベースで管理するデータに基づいてそのゲートウェイ装置のホスト名を取得し、少なくともそのホスト名をパラメータとしてホスト名／ＩＰアドレス変換サーバにＩＰアドレス解決を依頼して、その結果を受信する機能と、得られたＩＰアドレスとそのゲートウェイ装置からのＩＰアドレス割当の通知における送信元ＩＰアドレスとを照合して、一致した場合に限り、このＩＰアドレスを、そのゲートウェイ装置のＩＰアドレスとして上記加入者情報データベースに保持する機能とを実行することを特徴とする請求項３１に記載のＩＰ通信システムのＩＰアドレス割当方法。
【請求項３３】
上記ゲートウェイ装置は、上記ゲートウェイ制御装置にＩＰアドレス割当の通知を行う際に、上記ＩＰアドレス割当装置から与えられた割当てられたＩＰアドレスの有効期限を一緒に通知することを特徴とする請求項２３に記載のＩＰ通信システムのＩＰアドレス割当方法。
【請求項３４】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、その有効期限と、加入者を識別する電話番号とを不揮発的に管理していることを特徴とする請求項３３に記載のＩＰ通信システムのＩＰアドレス割当方法。
【請求項３５】
上記ゲートウェイ制御装置は、加入者情報データベースで管理する情報を用いて、マスタースレーブ型のアーキテクチャに従ったプロトコルで上記ゲートウェイ装置を、ＩＰ網とキャリア網を介して制御することにより、キャリア網に収容されている加入者に対してＩＰ電話サービスを提供する機能と、上記ゲートウェイ装置からのＩＰアドレス割当の通知を受け付けると、その通知に含まれているゲートウェイ装置を識別する情報と、加入者情報データベースで管理する情報とを照合する機能と、照合に成功した際に上記通知のＩＰパケットに含まれる送信元ＩＰアドレスを取得して該当するゲートウェイ装置の識別情報に対応するＩＰアドレスとし、通知に含まれている有効期限と共に加入者情報データベースに保持する機能と、呼処理を行う際にこの有効期限を参照して満了していない場合にのみ呼処理を行う機能とを実行することを特徴とする請求項３４に記載のＩＰ通信システムのＩＰアドレス割当方法。
【請求項３６】
上記ゲートウェイ制御装置は、自装置が初期化された場合には、上記有効期限を参照して満了していない場合にのみゲートウェイ装置の状態初期化を指示することを特徴とする請求項３５に記載のＩＰ通信システムのＩＰアドレス割当方法。
【請求項３７】
上記ゲートウェイ装置は、上記ゲートウェイ制御装置にＩＰアドレス割当の通知を行う際に、上記ＩＰアドレス割当装置から与えられた割当てられたＩＰアドレスの有効期限を一緒に通知することを特徴とする請求項２９に記載のＩＰ通信システムのＩＰアドレス割当方法。
【請求項３８】
上記加入者情報データベースは、少なくとも、ゲートウェイ装置を識別する情報として、ゲートウェイ装置を一意に識別する情報としてのＭＡＣアドレスを含むエンドポイント識別子と、割当てられたＩＰアドレスと、その有効期限と、加入者を識別する電話番号と、ホスト名とを不揮発的に管理していることを特徴とする請求項３７に記載のＩＰ通信システムのＩＰアドレス割当方法。
【請求項３９】
上記ゲートウェイ制御装置は、上記ゲートウェイ装置からのＩＰアドレス割当の通知を受信した際に、上記加入者情報データベースにおけるこのゲートウェイ装置の有効期限の領域に受信した有効期限を設定する機能と、呼処理を行う際にこの有効期限を参照して満了していない場合にのみ呼処理を行う機能とを実行することを特徴とする請求項３８に記載のＩＰ通信システムのＩＰアドレス割当方法。
【請求項４０】
上記ゲートウェイ制御装置は、自装置が初期化された場合には、上記加入者情報データベースにＩＰアドレスが登録されていて、かつＩＰアドレスの有効期限が満了していないゲートウェイ装置を抽出する機能と、この処理で抽出できず対象外となったゲートウェイ装置についてのみホスト名／ＩＰアドレス変換サーバに対してＩＰアドレス解決を依頼してＩＰアドレスを収集する機能と、上記の２つの機能で収集された各ゲートウェイ装置に対して状態初期化を指示する機能とを実行することを特徴とする請求項３９に記載のＩＰ通信システムのＩＰアドレス割当方法。
【発明の詳細な説明】
【技術分野】
【０００１】
本発明はＩＰ通信システム及びそのＩＰアドレス割当方法に関し、例えば、ＶｏＩＰ（Ｖｏｉｃｅ  ｏｖｅｒ  ＩＰ）電話システムにおけるＩＰアドレスの割当てに適用し得るものである。
【背景技術】
【０００２】
ＭＧＣＰ（Ｍｅｄｉａ  Ｇａｔｅｗａｙ  ＣｏｎｔｒｏＩ  Ｐｒｏｔｏｃｏｌ；ＩＥＴＦ  ＲＦＣ３４３５：非特許文献１参照）やＨ．２４８．１（ＩＴＵ−Ｔ勧告、ＴＴＣ標準）／ＭＥＧＡＣＯ（Ｍｅｄｉａ  Ｇａｔｅｗａｙ  ＣｏｎｔｒｏＩ；ＩＥＴＦ  ＲＦＣ３５２５）などのＶｏＩＰシグナリングプロトコルは、マスタースレーブ型のアーキテクチャに基づき、端末装置やネットワーク間の接続に用いる装置であるゲートウェイ（Ｍｅｄｉａ  Ｇａｔｅｗａｙ；以下、ＭＧと呼ぶ）を、ゲートウェイ制御装置（Ｍｃｄｉａ  Ｇａｔｅｗａｙ  Ｃｏｎｔｒｏｌｌｅｒ；以下、ＭＧＣと呼ぶ）が制御することにより、呼の確立や制御を行う、システムを構成する装置間に主従関係（ＭＧＣ＝主、ＭＧ＝従）を持たせたプロトコルである。
【０００３】
このようなプロトコルに基づいて構築されたＩＰ通信システム（例えば、ＶｏＩＰ電話システム）では、ＭＧＣは、自分が管理、制御する複数のＭＧのそれぞれについて、少なくともＭＧを特定する情報の他、どのように制御するかの情報を管理している。
【０００４】
例えば、加入者が、ＭＧをネットワークに接続し、電源を投入して、ＭＧの初期設定が完了して利用可能な状態になると、そのＭＧは予め設定された自分を制御するＭＧＣに対して、利用可能となったことを通知する。その通知を受けたＭＧＣでは、通知してきたＭＧが自分で制御するＭＧのうちの一つであることを認識し、そのＭＧに関して管理している動作条件を指示する。ＭＧは、それ以降、ＭＧＣから指定された動作条件に従って動作を行う。このような動作の一例は、以下の通りである。ＭＧは、（ａ）自ＭＧに接続された電話機の受話器が上げられたらＭＧＣにその旨の通知を行い、（ｂ）ダイヤルトーンを送出し、（ｃ）ダイヤルされるディジットを収集し、（ｄ）ダイヤルが終了したら収集したディジットをＭＧＣに通知し、（ｅ）次の指示を待つ、といった動作を行う。
【非特許文献１】ＩＥＴＦ  ＲＦＣ３４３５  ”Ｍｅｄｉａ  Ｇａｔｅｗａｙ  ＣｏｎｔｒｏＩ  Ｐｒｏｔｏｃｏｌ（ＭＧＣＰ）  Ｖｅｒｓｉｏｎ  １．０”，  Ｆ．  Ａｎｄｒｅａｓｅｎ，  Ｂ．  Ｆｏｓｔｅｒ．  Ｊａｎｕａｒｙ  ２００３
【発明の開示】
【発明が解決しようとする課題】
【０００５】
ＶｏＩＰでは、ＩＰアドレスにより、ＭＧＣ−ＭＧ間のメッセージの宛先が指定されるため、ＭＧＣがＭＧを制御する場合、ＭＧＣがＭＧを特定する情報として予めＭＧのＩＰアドレスを知って、それに基づいて制御する方法がある。これは、ＭＧが加入者に配布される際に、ＭＧに対して固定的にＩＰアドレスを割当てるようにすることにより、ＭＧＣは、予めＭＧとＩＰアドレスの対応を管理することが可能となる。ＭＧに割当てられたＩＰアドレスが、ＭＧが同一である限り変わらないような管理方法であるため、ＩＰアドレスなどのＭＧの情報管理が容易である。
【０００６】
一方、今まで広く使用されてきたＩＰｖ４（Ｉｎｔｅｒｎｅｔ  Ｐｒｏｔｏｃｏｌ  ｖｅｒｓｉｏｎ４；ＲＦＣ７９１）によるＩＰアドレスは、３２ビット長であることから、ＭＧに固定的にＩＰアドレスを割当てようとするとＩＰアドレスが不足するという課題がある。また、ＶｏＩＰサービスを提供する事業者が固定的に割当てるだけの十分なＩＰアドレスを所有していない場合に問題が発生する。さらに、ＩＰアドレスを割当てる事業者とＶｏＩＰサービスを提供する事業者が異なる場合において、ＭＧに固定的にＩＰアドレスを割当てるには事業者間の情報流通が必要であるが、この情報流通に時間やコストがかかる場合などには問題が発生する。
【０００７】
そのため、上述したＩＰアドレスの割当て問題を解決し得るＩＰ通信システム及びそのＩＰアドレス割当方法が求められている。
【課題を解決するための手段】
【０００８】
かかる課題を解決するため、第１の本発明のＩＰ通信システムは、加入者端末を収容したゲートウェイ装置と、マスタースレーブ型のアーキテクチャに従ったプロトコルで加入者側に設置された上記ゲートウェイ装置を制御するゲートウェイ制御装置と、このゲートウェイ制御装置に加入者情報を提供する加入者情報データベースと、動的にＩＰアドレスを割当てるＩＰアドレス割当装置とを有し、上記ゲートウェイ装置が上記ＩＰアドレス割当装置にＩＰアドレスの割当てを要求してＩＰアドレスを得、そのＩＰアドレスを上記ゲートウェイ制御装置に通知することを特徴とする。
【０００９】
第２の本発明のＩＰ通信システムのＩＰアドレス割当方法は、ＩＰ通信システムが、加入者端末を収容したゲートウェイ装置と、マスタースレーブ型のアーキテクチャに従ったプロトコルで加入者側に設置された上記ゲートウェイ装置を制御するゲートウェイ制御装置と、このゲートウェイ制御装置に加入者情報を提供する加入者情報データベースと、動的にＩＰアドレスを割当てるＩＰアドレス割当装置とを有しており、上記ゲートウェイ装置が上記ＩＰアドレス割当装置にＩＰアドレスの割当てを要求してＩＰアドレスを得、そのＩＰアドレスを上記ゲートウェイ制御装置に通知することを特徴とする。
【発明の効果】
【００１０】
本発明によれば、ゲートウェイ装置がＩＰアドレス割当装置によって割り当てられたＩＰアドレスを、マスターのゲートウェイ制御装置に通知するようにしたので、ゲートウェイ装置のＩＰアドレスが固定されていなくても、ゲートウェイ制御装置が制御することができる。
【発明を実施するための最良の形態】
【００１１】
（Ａ）第１の実施形態
以下、本発明によるＩＰ通信システム及びそのＩＰアドレス割当方法の第１の実施形態を図面を参照しながら詳述する。
【００１２】
（Ａ−１）第１の実施形態の構成
図１は、第１の実施形態のＩＰ通信システム（ＩＰ電話システム）の構成を示すブロック図である。図１において、第１の実施形態のＩＰ電話システムは、ＩＰ電話交換装置１、加入者情報データベース装置（以下、加入者情報ＤＢと呼ぶ）２、加入者宅内装置（Ｃｕｓｔｏｍｅｒ  Ｐｒｅｍｉｓｅ  Ｅｑｕｉｐｍｅｎｔ；以下、ＣＰＥと呼ぶ）３、アナログ電話機４及びＩＰアドレス割当装置５を構成要素として含んでいる。なお、ＩＰ電話交換装置１が上述したＭＧＣに相当し、ＣＰＥ３が上述したＭＧに相当する。
【００１３】
キャリア網７は、ＰＳＴＮ（Ｐｕｂｌｉｃ  Ｓｗｉｔｃｈｉｎｇ  Ｔｅｌｅｐｈｏｎｅ  Ｎｅｔｗｏｒｋ）サービスを提供すると共に、ＩＰアドレス割当装置５を有し、ＡＤＳＬ（Ａｓｙｍｍｅｔｒｉｃ  Ｄｉｇｉｔａｌ  Ｓｕｂｓｃｒｉｂｅｒ  Ｌｉｎｅ）のようなインターネット接続を実現するためのＩＰアドレスの割当を実行し得るものである。アナログ電話機４は、ＣＰＥ３を介してキャリア網７に接続されている。
【００１４】
インターネットサービスプロバイダ（以下、ＩＳＰと呼ぶ）網６は、インターネットサービスを提供するＩＳＰがその加入者に対してＩＰ電話サービスを提供するためのＩＰ電話交換装置１と、ＩＰ電話サービスの加入者情報を管理する加入者情報ＤＢ２とを有している。なお、ＩＳＰ網６は、プロバイダを問題としないＩＰ網であっても良い。
【００１５】
加入者情報ＤＢ２は、加入者に関する情報として、図２に示すように、少なくとも、加入者宅内に設置されたＣＰＥ３を識別する情報として、エンドポイント識別子と、ＣＰＥ３に割当てられたＩＰアドレスと、加入者を識別する電話番号とを管理している。エンドポイント識別子には、例えば、ＣＰＥ３を一意に識別する情報として、ＭＡＣ（Ｍｅｄｉａ  Ａｃｃｅｓｓ  Ｃｏｎｔｒｏｌ）アドレスが含まれている。なお、加入者情報ＤＢ２は、ハードディスク装置などのように、少なくともリブートや電源断などによっては保持している情報が消滅しない、不揮発性の記憶装置で構成されている。加入者情報ＤＢ２は、ＩＰ電話交換装置１とは異なる別個の装置で構成されていても良く、また、ＩＰ電話交換装置１と同じ装置に構成されていても良い。
【００１６】
ＩＰ電話交換装置１は、加入者情報ＤＢ２によって管理されている情報を用いて、ＭＧＣＰのような主従関係のアーキテクチャに基づいたＶｏＩＰ信号制御プロトコルで加入者宅内に設置されたＣＰＥ３を、ＩＳＰ網６とキャリア網７を介して制御することにより、キャリア網７に収容されている加入者に対して、ＩＰ電話サービスを提供するものである。
【００１７】
ＩＰ電話交換装置１は、図示は省略しているが、ハードウェア的には、ＩＰ−ＰＢＸや局の交換処理用のワークステーションなどが該当し、ＣＰＵ、メインメモリ、補助記憶装置（例えばハードディスク装置）、ＩＰ通信部を備え、以下の機能を担っているものである。
【００１８】
ＩＰ電話交換装置１は、ＣＰＥ３からのＩＰアドレス割当の通知メッセージを受け付けると、該通知メッセージに含まれるＣＰＥ３を識別する情報と、加入者情報ＤＢ２で管理する情報とを照合する識別情報照合機能と、照合に成功した際に該通知メッセージのＩＰパケットに含まれる送信元ＩＰアドレスを取得して該当するＣＰＥ３の識別情報に対応するＩＰアドレスとして加入者情報ＤＢ２に保持させるＩＰアドレス保持機能とを担っている。
【００１９】
また、ＩＰ電話交換装置１は、電源のＯＦＦ／ＯＮを繰り返したりリセットされたりして内蔵するメインメモリが初期化された場合には、加入者情報ＤＢ２から登録されている全加入者に関する情報を取得して、ＩＰアドレスが保持されているＣＰＥ３に対して状態の初期化の指示メッセージを送出する初期化指示メッセージ送出機能と、ＣＰＥ３からの初期化に成功したという応答を予め設定されている時間内に受信できない場合に、予め設定されている回数だけ初期化の指示メッセージを送出する動作を繰り返す初期化応答確認機能と、予め設定されている回数だけ繰り返し送出しても初期化成功という応答を受信できないときに加入者情報ＤＢ２に設定されている該当するＩＰアドレスを無効にする初期化失敗アドレス無効化機能とを担っている。
【００２０】
ＣＰＥ３は、キャリア網７から加入者に向かって送信される、ＰＳＴＮなどが提供する電話サービスの信号と、ＡＤＳＬなどのＩＰサービスの信号とを分離したり、その逆方向の信号を混合したりするスプリッタ機能（この機能の実現構成は一般にハードウェアで構成されている）と、自装置の電源ＯＮや初期設定を契機にＩＰアドレス割当装置５に対して自装置のＭＡＣアドレスのような自装置を一意に識別するための情報を送信することにより、ＩＰアドレスの付与と、当該ＣＰＥ３を管理するＩＰ電話交換装置１の識別情報の取得を要求して、その要求に従ってＩＰアドレス割当装置５が送信した情報を受信して保持するＩＰアドレス取得機能と、ＩＰアドレス割当装置５から付与されたＩＰアドレスを用いてインターネット接続を実現するインターネット接続機能と、アナログ電話機４を接続するアナログ電話機接続機能と、アナログ電話機４と接統してＩＰ電話サービスを実現するための制御信号処理や音声コーデック処理を実行する音声通信機能（例えばＶｏＩＰアダプタやテレフォニーアダプタ（ＴＡ）が該当する）と、ＩＰアドレスの付与を契機に、自ＣＰＥ３を一意に識別する情報としてＭＡＣアドレスを含むエンドポイント識別子を持った、ＩＰ電話制御信号処理に基づいた制御信号を発行する制御信号発行機能と、収容しているアナログ電話機４を使ったＰＳＴＮ電話サービスを提供するＰＳＴＮ電話サービス提供機能とを担っている。以上のように、第１の実施形態では、ＣＰＥ３が上述したＭＧに相当する機能の実現構成を有している。
【００２１】
ＣＰＥ３は、設置直後でも、ＩＰアドレス割当装置５と通信し得るように、ＩＰアドレス割当装置５についてのアドレスを有している。
【００２２】
ＩＰアドレス割当装置５は、ハードウェア的には、例えばいわゆるサーバが該当したり、ルータにこの装置の機能が搭載されていたりするものである。ＩＰアドレス割当装置５は、例えば、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバのように、ＩＰアドレスの付与を許可された全てのＣＰＥのＭＡＣアドレスのような識別情報と、そのＣＰＥを管理するＩＰ電話交換装置１の識別情報との関係を内部記憶すると共に、ＩＰアドレスのリストを有する。
【００２３】
ＩＰアドレスのリストは、例えば、ＩＰアドレス毎に、少なくとも、割当先のＣＰＥ３の識別情報とその有効期限とを対応付けて管理可能であり、割当済みのＩＰアドレスについては、ＣＰＥ３の識別情報とその有効期限が保持され、未割当のＩＰアドレスについてはこれらの情報が設定されておらず、ＩＰアドレスが割当済みか否かを管理できるようになされている。
【００２４】
ＩＰアドレス割当装置５は、ＣＰＥ３からのＩＰアドレスの割当要求に従って、要求してきたＣＰＥ３の識別情報を保持していることを確認した上で、ＩＰアドレスのリストに該ＣＰＥ３の識別情報が保持されていれば、同一のＩＰアドレスを再割当して有効期限を更新し、ＩＰアドレスのリストに割当要求したＣＰＥ３の識別情報が保持されていなければ、未割当のＩＰアドレスのうちの一つを選択して、該ＩＰアドレスとＩＰ電話交換装置１の識別情報とを返却すると共に、ＩＰアドレスのリストの該ＩＰアドレスに割当先のＣＰＥの識別情報と有効期限とを関連付けて保持する。
【００２５】
図１では、ＩＰアドレス割当装置５は、キャリア網７に収容されているように記載しているが、ＩＰアドレス割当装置５はＩＳＰ網６に収容されているものであっても良い。
【００２６】
（Ａ−２）第１の実施形態の動作
次に、第１の実施形態のＩＰ電話システムの動作を説明する。なお、第１の実施形態は、以下の場合を想定している。ＣＰＥ３及びアナログ電話機４を所有する加入者は、キャリア網７を保有するＰＳＴＮ通信事業者の電話サービスとＡＤＳＬサービスに加入し、インターネット接続サービスについては、ＩＳＰ網６を所有するＩＳＰのインターネットアクセスサービスとＩＰ電話サービスに加入している。そして、この加入者のＣＰＥ３へのＩＰアドレス割当は、ＣＰＥ３からの要求に従って、ＩＰアドレス割当装置５が管理する未割当てのＩＰアドレスの中から選択して行う。
【００２７】
まず、図３のフローチャートを参照して、第１の実施形態のＩＰ電話システムにおけるＩＰアドレスの割当時の動作を説明する。
【００２８】
ＣＰＥ３は、電源投入やリセット時など、自装置の初期設定を契機にし、少なくとも自己のＭＡＣアドレスを自装置を一意に識別する情報として、ＩＰアドレス割当装置５に送信することによりＩＰアドレスの割当てを要求する（Ｆ１０１）。
【００２９】
ＩＰアドレス割当装置５においては、このＣＰＥ３に対して、ＩＰアドレスを既に割当てているか否かを、自装置で管理している情報に基づいて判断する（Ｆ１０２）。既に割当済みの場合には、割当済みのＩＰアドレスを引き続き割当てることとして、そのＩＰアドレスを返却情報とすると共に（Ｆ１１３）、ＩＰアドレスの有効期限を更新する（Ｆ１１４）。一方、割当て要求したＣＰＥ３に対してＩＰアドレスが未割当の場合には、ＩＰアドレス割当装置５は、管埋しているＩＰアドレスの中から未割当のＩＰアドレスを選択すると共に（Ｆ１２３）、このＣＰＥ３を管理するＩＰ電話交換装置１の識別情報を検索し（Ｆ１２４）、ＩＰアドレス及びＩＰ電話交換装置１の識別情報の双方を返却情報とし、選択したＩＰアドレスにこのＣＰＥ３の情報と有効期限とを登録する（Ｆ１２５）。
【００３０】
そして、ＩＰアドレス割当装置５は、上述のようにして返却情報に設定された情報を要求元のＣＰＥ３に返却する（Ｆ１０４）。ＩＰアドレス割当装置５から返却情報を受信したＣＰＥ３は、受信した情報を保持する（Ｆ１０５）。また、既に割当済みのＩＰアドレスが返却されたか否かを確認する（Ｆ１０６）。
【００３１】
既にＩＰアドレスを割当てられていて有効期限内にＩＰアドレス割当を要求したために、ＩＰアドレス割当装置５から、既に割当済みのＩＰアドレスが返却された場合には、そのＩＰアドレスをそのまま使用する。ＣＰＥ３が新規に設置された場合やＣＰＥ３のＩＰアドレスの有効期限が切れていた場合には、受信したＩＰアドレスを自装置のＩＰアドレスとし、識別情報を受信したＩＰ電話交換装置１に対して、新たなＩＰアドレスが割当てられた旨のＶｏＩＰシグナリンクプロトコルのメッセージを、自ＣＰＥ３を表すエンドポイント識別子をキー情報として送信する（Ｆ１２７）。このエンドポイント識別子には、このＣＰＥ３を一意に識別するためのＭＡＣアドレスが含まれている。
【００３２】
ＩＰアドレスの割当を通知するメッセージを受信したＩＰ電話交換装置１においては、このメッセージにキー情報として含まれるエンドポイント識別子に基づいて、加入者情報ＤＢ２を検索し、加入者か否かを判断する（Ｆ１２８）。ＩＰ電話交換装置１は、加入者と判断したならば、このメッセージのＩＰパケットの送信元ＩＰアドレスを加入者情報ＤＢ２に保持し（Ｆ１２９）、このＣＰＥ３に正常応答を返信する（Ｆ１３０）。一方、ＩＰ電話交換装置１は、加入者でないと判断したならば、このＣＰＥ３にエラー応答を返信する（Ｆ１４０）。
【００３３】
ＩＰ電話交換装置１は、正常応答の返信後においては、このＣＰＥ３を制御できる状態になる。
【００３４】
次に、ＩＰ電話交換装置１において、リブートなどにより、揮発性記億領域であるメインメモリ上の情報が消滅した場合の動作を、図４のフローチャートを参照して説明する。
【００３５】
ＩＰ電話交換装置１は、リブートなどの情報消失事象を契機に、加入者情報ＤＢ２を参照して、図２に示したリストにＩＰアドレスが登録されているＣＰＥ３の情報を収集する（Ｆ１５１）。そして、収集された全てのＣＰＥに対してそれぞれ、以下のステップ処理Ｆ１５２〜Ｆ１５５を実行する。
【００３６】
ＩＰ電話交換装置１は、処理対象となっているＣＰＥ３に対して初期化（例えば、ＶｏＩＰを事項し得るような内蔵するアプリケーションの初期化）を指示する（Ｆ１５２）。そして、所定時間内に初期化を指示したＣＰＥ３から正常終了応答を受信したか否かを判断する（Ｆ１５３）。ＩＰ電話交換装置１は、正常終了応答を受信できた場合には、次のＣＰＥ３を処理対象として上述したステップＦ１５２を実施する。これに対して、所定時間内に正常終了応答が受信できなかった場合には、ＩＰ電話交換装置１は、初期化実施回数が所定回数内か否かを判断し（Ｆ１５４）、所定回数内であれば同一のＣＰＥ３に対して初期化指示を再発行し（Ｆ１５２）、所定回数を超えていれば、加入者情報ＤＢ２における処理対象中のＣＰＥ３のＩＰアドレスを削除する（Ｆ１５５）。
【００３７】
以上のようにして、ＩＰ電話交換装置１は、リブートなどの情報消失事象には、ＭＧＣＰのような主従関係のアーキテクチャに基づいた制御をＣＰＥ３に対して実行できることを確認し、確認できない場合には、ＣＰＥ３のＩＰアドレスを削除する。
【００３８】
（Ａ−３）第１の実施形態の効果
第１の実施形態によれば、ＣＰＥ３に付与されるＩＰアドレスが変動しても、ＣＰＥ３がＩＰアドレスの変化を契機に、ＣＰＥ３を一意に識別可能なＭＡＣアドレスから構成されるエンドポイント講別子をキーとしたＶｏＩＰシグナリングメッセージにより、新たに割当てられたＩＰアドレスをＩＰ電話交換装置１に通知することから、エンドポイント識別子をキーにＣＰＥ３を管理しているＩＰ電話交換装置１が、その通知メッセージのＩＰパケットの送信元ＩＰアドレスを参照して、エンドポイント識別子とＩＰアドレスとの対応関係を管理できるようになり、その結果、ＣＰＥ３を制御できる状態になる。
【００３９】
（Ｂ）第２の実施形態
次に、本発明によるＩＰ通信システム及びそのＩＰアドレス割当方法の第２の実施形態を図面を参照しながら詳述する。
【００４０】
（Ｂ−１）第２の実施形態の構成
図５は、第２の実施形態のＩＰ通信システム（ＩＰ電話システム）の構成を示すブロック図であり、第１の実施形態に係る図１との同一、対応部分には同一、対応符号を付して示している。
【００４１】
第２の実施形態は、ＩＳＰ網６内に設けられているＤＤＮＳ（Ｄｙｎａｍｉｃ  Ｄｏｍａｉｎ  Ｎａｍｅ  Ｓｙｓｔｅｍ）サーバ２８が構成要素として追加されている点が第１の実施形態と異なっており、また、ＩＰ電話交換装置２１、加入者情報ＤＢ２２、ＣＰＥ２３及びＩＰアドレス割当装置２５の機能も第１の実施形態とは多少異なっている。
【００４２】
ＤＤＮＳサーバ２８は、ＴＣＰ／ＩＰネットワーク環境においてホスト名から対応するＩＰアドレスを取得できるようにするサービスを提供するＤＮＳシステムを拡張したＲＦＣ１９９５やＲＦＣ１９９６で定義されているサーバである。ＤＤＮＳは、ＤＮＳに比べて、データベースの変更に対して即座に通知をしたり、変更部分のデータのみを転送したりすることができ、ネットワークのトラフィックを抑えることができる点が優れている。
【００４３】
ＤＤＮＳサーバ２８はＩＳＰ網６に設置され、少なくともホスト名とＩＰアドレスをパラメータとするＣＰＥ２３からの登録要求を受け付けて自装置内の不揮発記憶領域に保持し、少なくともホスト名をパラメータとするＩＰ電話交換装置２１からのＩＰアドレス解決要求に対して、対応するＩＰアドレスを返却する機能を有する。
【００４４】
第２の実施形態の加入者情報ＤＢ２２は、図６に示すように、第１の実施形態と同様な電話番号、エンドポイント識別子及びＩＰアドレスに加え、ＣＰＥ３を識別するためのホスト名も管理している。
【００４５】
第２の実施形態のＩＰ電話交換装置２１は、所定事象が生じて内蔵するメインメモリが初期化された場合には、加入者情報ＤＢ２２から、登録されている全加入者に関する情報（図６参照）を取得して、そこに含まれているホスト名に基づいてＤＤＮＳサーバ２８にＩＰアドレス解決を要求し、ＩＰアドレスが取得できたホスト名を付与されているＣＰＥ３については、加入者情報ＤＢ２２の該当するレコード中のＩＰアドレス部分を設定すると共に、ＣＰＥ３に対して状態の初期化の指示メッセージを送出する機能部を有する点が、第１の実施形態とは異なっている。
【００４６】
第２の実施形態のＣＰＥ２３は、新たなＩＰアドレスの割当を契機に、少なくとも自ホスト名と割当てられたＩＰアドレスとをパラメータとして、ＤＤＮＳサーバ２８に対して、ＩＰアドレス登録を依頼するＤＤＮＳクライアントとしての機能部が追加になっている点が、第１の実施形態のものとは異なっている。
【００４７】
第２の実施形態のＩＰアドレス割当装置２５は、ＣＰＥ３毎に対応するＤＤＮＳサーバ２８へアクセス可能な識別情報を管理する機能部と、ＩＰアドレス割当時にこの情報を合わせて送信する機能部とが追加になっている点が、第１の実施形態のものとは異なっている。
【００４８】
（Ｂ−２）第２の実施形態の動作
次に、第２の実施形態のＩＰ電話システムの動作を、ＩＰアドレスの割当時の動作、ＩＰ電話交換装置のリブート時の動作の順に説明する。
【００４９】
まず、図７のフローチャートを参照して、第２の実施形態のＩＰ電話システムにおけるＩＰアドレスの割当時の動作（第２の実施形態のＩＰアドレス割当方法）を説明する。
【００５０】
ＣＰＥ２３は、電源投入やリセット時など、自装置の初期設定を契機にし、少なくとも自己のＭＡＣアドレスを自装置を一意に識別する情報として、ＩＰアドレス割当装置２５に送信してＩＰアドレスの割当てを要求し（Ｆ２０１）、ＩＰアドレス割当装置２５は、このＣＰＥ２３に対して、ＩＰアドレスを既に割当てているか否かを、自装置で管理している情報に基づいて判断する（Ｆ２０２）。既に割当済みの場合のＩＰアドレス割当装置２５の動作は、第１の実施形態の場合と同様である（Ｆ１１３、Ｆ１１４、Ｆ１０４）。
【００５１】
一方、割当て要求したＣＰＥ２３に対してＩＰアドレスが未割当の場合には、ＩＰアドレス割当装置２５は、管埋しているＩＰアドレスの中から未割当のＩＰアドレスを選択すると共に（Ｆ１２３）、このＣＰＥ３を管理するＩＰ電話交換装置１の識別情報や、ＩＰアドレスとホスト名を登録するＤＤＮＳサーバ２８にアクセスするための情報を検索し（Ｆ２２４）、ＩＰアドレス、ＩＰ電話交換装置１の識別情報、ＤＤＮＳサーバ２８のアクセス情報を返却情報とし、選択したＩＰアドレスにこのＣＰＥ３の情報と有効期限とを登録する（Ｆ１２５）。すなわち、ＤＤＮＳサーバ２８にアクセスするための情報を検索している点が第１の実施形態と異なっている。
【００５２】
ＩＰアドレス割当装置２５が、情報を要求元のＣＰＥ２３に返却し、ＣＰＥ２３は、受信した情報を保持した後、既に割当済みのＩＰアドレスが返却されたか否かを確認する処理は第１の実施形態と同様であり（Ｆ１０４〜Ｆ１０６）、既に割当済みのＩＰアドレスが返却された場合のＣＰＥ２３の処理も第１の実施形態と同様である。
【００５３】
ＣＰＥ２３が新規に設置されたか若しくはＣＰＥ２３に関するＩＰアドレスの有効期限が切れていたために、ＣＰＥ２３に新ＩＰアドレスが返却された場合には、ＩＰアドレス割当装置２５から受信した情報の一つであるＤＤＮＳサーバ２８にアクセスするための識別情報に基づいて、少なくとも割当てられたＩＰアドレスと自ホスト名とをパラメータとして、ＤＤＮＳサーバ２８へホスト名とＩＰアドレスの登録を依頼する（Ｆ２２７）。
【００５４】
その後、受信したＩＰアドレスを自装置のＩＰアドレスとし、識別情報を受信したＩＰ電話交換装置２１に対して、新たなＩＰアドレスが割当てられた旨のＶｏＩＰシグナリンクプロトコルのメッセージを、自ＣＰＥ２３を表すエンドポイント識別子をキー情報として送信し（Ｆ２２８）、ＩＰ電話交換装置２１は、このメッセージにキー情報として含まれるエンドポイント識別子に基づいて、加入者情報ＤＢ２２を検索し、加入者か否かを判断し（Ｆ１２８）、その判断結果に応じて、第１の実施形態と同様な処理を行う。
【００５５】
次に、ＩＰ電話交換装置２１がリブートなどで、揮発性記憶領域であるメインメモリ上の情報が消滅した場合における第２の実施形態の動作を、図８のフローチャートを参照して説明する。
【００５６】
ＩＰ電話交換装置２１は、前記事象を契機に加入者情報ＤＢ２２を参照して、図６に示した加入者に関するデータを収集し（Ｆ２５１）、収集された全てのＣＰＥ２３に関して、少なくともホスト名をパラメータとしてＤＤＮＳサーバ２８にＩＰアドレスの解決を依頼し（Ｆ２５２）、ＩＰアドレスが収集できた全てのＣＰＥ２３に対して、以下の処理を実行する。
【００５７】
ＩＰ電話交換装置２１は、処理対象となっているＣＰＥ３に対して初期化を指示し（Ｆ１５２）、所定時間内に初期化を指示したＣＰＥ３から正常終了応答を受信したか否かを判断する（Ｆ１５３）。ＩＰ電話交換装置２１は、正常終了応答を受信できた場合には、加入者情報ＤＢ２２のデータの該当するＣＰＥ２３のＩＰアドレスの領域に該ＩＰアドレスを設定してから（Ｆ２５４）、次のＣＰＥ２３を処理対象として上述したステップＦ１５２を実施し、これに対して、所定時間内に正常終了応答が受信できなかった場合には、ＩＰ電話交換装置２１は、初期化実施回数が所定回数内か否かを判断し（Ｆ１５４）、所定回数内であれば同一のＣＰＥ３に対して初期化指示を再発行し（Ｆ１５２）、所定回数を超えていれば、加入者情報ＤＢ２における処理対象中のＣＰＥ２３のＩＰアドレスをクリアする（Ｆ２５５）。
【００５８】
（Ｂ−３）第２の実施形態の効果
第２の実施形態によれば、第１の実施形態と同様な効果に加え、次の効果が期待できる。
【００５９】
ＤＤＮＳサーバ２８にＣＰＥ２３のＩＰアドレスとホスト名の対応を登録することにより、ＩＰ電話交換装置２１の停止中にＣＰＥ２３のＩＰアドレスが変更になったとしても、ＩＰ電話交換装置２１がＤＤＮＳサーバ２８に問い合わせることにより、正しいＩＰアドレスを取得することが可能となる。
【００６０】
（Ｃ）第３の実施形態
次に、本発明によるＩＰ通信システム及びそのＩＰアドレス割当方法の第３の実施形態を図面を参照しながら詳述する。
【００６１】
第３の実施形態のＩＰ通信システム（ＩＰ電話システム）の構成も、第２の実施形態に係る上述した図５で表すことができる。第３の実施形態の場合、ＩＰ電話交換装置２１の機能が第２の実施形態のものと多少異なっている。
【００６２】
第３の実施形態におけるＩＰ電話交換装置２１は、ＣＰＥ２３からＩＰアドレス割当の通知を受信した際に、図６に示したデータに基づいて、このＣＰＥ２３のホスト名を取得し、少なくともそのホスト名をパラメータとしてＤＤＮＳサーバ２８にＩＰアドレス解決を依頼してその結果を受信する機能と、ＤＤＮＳサーバ２８によって得られたＩＰアドレスとＣＰＥ２３からのＩＰアドレス割当通知のＩＰパケットにおける送信元ＩＰアドレスとを照合し、一致した場合に限り、このＩＰアドレスを当該ＣＰＥ２３のＩＰアドレスとして加入者情報ＤＢ２２に保持する機能とを有する点が、第２の実施形態のものと異なっている。
【００６３】
図９は、第３の実施形態のＩＰアドレス割当時の動作を示すフローチャートであり、第２の実施形態に係る上述した図７との同一ステップには同一符号を付して示している。
【００６４】
第３の実施形態においても、ＶｏＩＰシグナリンクプロトコルのメッセージ（ＩＰアドレス割当通知のＩＰパケット）を、自ＣＰＥ２３を表すエンドポイント識別子をキー情報として送信し（Ｆ２２８）、ＩＰ電話交換装置２１が、受信したＣＰＥ２３からのメッセージにキー情報として含まれるエンドポイント識別子に基づいて、加入者情報ＤＢ２２を検索し、加入者か否かを判断する（Ｆ１２８）までの動作は、第２の実施形態と同様であり、加入者でないと判断したときの動作も第２の実施形態と同様である。
【００６５】
ＩＰ電話交換装置２１は加入者と判断した場合には、図６に示したデータに基づいて、このＣＰＥ２３のホスト名を取得し、少なくともそのホスト名をパラメータとしてＤＤＮＳサーバ２８にＩＰアドレス解決を依頼し（Ｆ３２９）、ＣＰＥ２３からのＩＰアドレス割当通知のＩＰパケットにおける送信元ＩＰアドレスと、ＤＤＮＳサーバ２８から返信されたＩＰアドレスとを照合して（Ｆ３３０）、一致した場合に限り、このＩＰアドレスを当該ＣＰＥ２３のＩＰアドレスとして加入者情報ＤＢ２２に保持し（Ｆ２２９）、その後、ＣＰＥ２３に正常応答を返信する（Ｆ１３０）。
【００６６】
第３の実施形態によれば、第２の実施形態の効果に加え、ＩＰ電話交換装置２１において、ＩＰアドレス割当を通知してきたＣＰＥ２３の送信元ＩＰアドレスと、ＤＤＮＳサーバ２８に実際に登録されたＩＰアドレスとを照合することにより、第２の実施形態と比較して、要求元の認証確度を高めることが可能であるという効果を奏することができる。  
（Ｄ）第４の実施形態
次に、本発明によるＩＰ通信システム及びそのＩＰアドレス割当方法の第４の実施形態を図面を参照しながら詳述する。
【００６７】
第４の実施形態のＩＰ通信システム（ＩＰ電話システム）の構成も、第１の実施形態に係る上述した図１で表すことができる。第４の実施形態におけるＩＰ電話システムは、ＩＰ電話交換装置１の機能と、加入者情報ＤＢ２に保持する情報と、ＣＰＥ３の機能とが、第１の実施形態のものと多少異なっている。
【００６８】
第４の実施形態の加入者情報ＤＢ２は、図１０に示すように、ＩＰアドレスの有効期限を設定する領域を有する点が第１の実施形態のものと異なっている。
【００６９】
第４の実施形態のＣＰＥ３は、ＩＰ電話交換装置１にＩＰアドレス割当の通知を行う際に有効期限を一緒に通知する機能を有する点が第１の実施形態のものと異なる。
【００７０】
第４の実施形態のＩＰ電話交換装置１は、ＣＰＥ３からのＩＰアドレス割当の通知を受信した際に、図１０に示すこのＣＰＥ３のデータの有効期限の領域に、受信した有効期限を設定する機能と、呼処理を行う際にこの有効期限を参照して満了していない場合にのみ呼処理を行う機能と、自装置の電源ＯＦＦ／ＯＮやリセットによりメインメモリが初期化された場合には、この有効期限を参照して満了していない場合にのみ、ＣＰＥの状態初期化を指示する機能とを有する点が第１の実施形態のものと異なっている。
【００７１】
図１１は、第４の実施形態のＩＰアドレス割当時の動作を示すフローチャートであり、第１の実施形態に係る上述した図３との同一ステップには同一符号を付して示している。
【００７２】
この第４の実施形態においても、ＣＰＥ３がＩＰアドレス割当装置５にＩＰアドレスの割当てを要求し、その返却情報を受信して保持するまでの動作（Ｆ１０１〜Ｆ１０５の動作は、第１の実施形態と同様である。
【００７３】
第４の実施形態の場合、この後、ＣＰＥ３は、ＩＰアドレスが既に割り当てられていたものか否かを問わず、ＩＰアドレス割当装置５から受信した情報のうちＩＰ電話交換装置１へのアクセス情報を宛先として、ＩＰアドレス割当の通知を、少なくとも、そのＩＰアドレスの有効期限と共に送信する（Ｆ４２７）。
【００７４】
ＩＰアドレスの割当が通知されたＩＰ電話交換装置１においては、この通知に含まれるエンドポイント識別子に基づいて、加入者情報ＤＢ２を検索し、加入者か否かを判断し（Ｆ１２８）、加入者と判断したならば、この通知のＩＰパケットの送信元ＩＰアドレスとその有効期限とを加入者情報ＤＢ２に保持し（Ｆ４２９）、送信元のＣＰＥ３に正常応答を返信し（Ｆ１３０）、一方、加入者でないと判断したならば、送信元のＣＰＥ３にエラー応答を返信する（Ｆ１４０）。
【００７５】
次に、ＩＰ電話交換装置１がリブートなどで、揮発性記憶領域であるメインメモリ上の情報が消滅した場合における第４の実施形態の動作を、図１２のフローチャートを参照して説明する。
【００７６】
ＩＰ電話交換装置１は、前記事象を契機に加入者情報ＤＢ２を参照して、図１０に示した加入者に関するデータを収集し（Ｆ１５１）、収集した全てのＣＰＥに対してそれぞれ、以下のステップ処理Ｆ４５１、Ｆ１５２〜Ｆ１５５を実行する。
【００７７】
ＩＰ電話交換装置１は、処理対象のＣＰＥ３のＩＰアドレスが満了しているか（言い換えると、有効期限を超えているか）否かを判別する（Ｆ４５１）。満了していない場合には、そのＣＰＥ３に対して初期化を指示し（Ｆ１５２）、所定時間内に初期化を指示したＣＰＥ３から正常終了応答を受信したか否かを判断する（Ｆ１５３）。ＩＰ電話交換装置１は、次のＣＰＥ３を処理対象として上述したステップＦ４５１を実施し、これに対して、所定時間内に正常終了応答が受信できなかった場合には、ＩＰ電話交換装置１は、初期化実施回数が所定回数内か否かを判断し（Ｆ１５４）、所定回数内であれば同一のＣＰＥ３に対して初期化指示を再発行し（Ｆ１５２）、所定回数を超えていれば、加入者情報ＤＢ２における処理対象中のＣＰＥ３のＩＰアドレスをクリアする（Ｆ１５５）。また、処理対象のＣＰＥ３のＩＰアドレスが満了している場合にも、加入者情報ＤＢ２における処理対象中のＣＰＥ３のＩＰアドレスをクリアする（Ｆ１５５）。
【００７８】
第４の実施形態によれば、第１の実施形態と同様な効果に加え、ＩＰ電話交換装置１において、ＣＰＥ毎のＩＰアドレスの有効期限を管理できるので、長期間電源断したままのＣＰＥのように利用者が事業者に申告せずに使用できない状態になっているＣＰＥに対する呼処理や初期設定を事前に避けることができ、ＣＰＥ制御のトラフィックやＩＰ電話交換装置の負荷を軽減することができるという効果を奏することができる。
【００７９】
（Ｅ）第５の実施形態
次に、本発明によるＩＰ通信システム及びそのＩＰアドレス割当方法の第５の実施形態を図面を参照しながら詳述する。
【００８０】
第５の実施形態のＩＰ通信システム（ＩＰ電話システム）の構成も、第２、第３の実施形態に係る上述した図５で表すことができる。第５の実施形態の場合、ＩＰ電話交換装置２１の機能と、加入者情報ＤＢ２２が保持する情報と、ＣＰＥ２３の機能が、第２、第３の実施形態のものと多少異なっている。
【００８１】
第５の実施形態の加入者情報ＤＢ２２では、図１３に示すように、ＩＰアドレスの有効期限を設定する領域を有する点が、第２、第３の実施形態のものと異なっている。
【００８２】
第５の実施形態のＣＰＥ２３は、ＩＰ電話交換装置２１にＩＰアドレス割当の通知を行う際に有効期限を一緒に通知する機能を有する点が、第２や第３の実施形態のものと異なっている。
【００８３】
第５の実施形態のＩＰ電話交換装置２１は、ＣＰＥ２３からのＩＰアドレス割当の通知を受信した際に、図１３に示すデータの当該ＣＰＥの有効期限の領域に、受信した有効期限を設定する機能と、呼処理を行う際にこの有効期限を参照して満了していない場合にのみ呼処理を行う機能と、自装置の電源ＯＦＦ／ＯＮやリセットによりメインメモリが初期化された場合には、加入者情報ＤＢ２２にＩＰアドレスが登録されていて、かつＩＰアドレスの有効期限が満了していないＣＰＥを抽出する機能と、前記で対象外となったＣＰＥについてのみＤＤＮＳサーバ２８に対してＩＰアドレス解決を依頼してＩＰアドレスを収集する機能と、前記２つの機能で収集されたＣＰＥに対して状態初期化を指示する機能とを有する点が、第２や第３の実施形態のものと異なっている。
【００８４】
次に、第５の実施形態のＩＰ電話システムのＩＰアドレス割当時の動作を簡単に説明する。
【００８５】
第５の実施形態のＩＰアドレス割当時の動作用のフローチャートを省略しているが、全体の流れは、上述した第３の実施形態に係る図９（又は第２の実施形態に係る図７）と同様であり、図９を参照しつつ、第３の実施形態との相違点を説明する。
【００８６】
第５の実施形態におけるＩＰアドレス割当時の動作では、図９におけるＣＰＥ２３での判断ステップＦ１０６がない点、ステップＦ２２８におけるＩＰアドレス割当の通知を、少なくともそのＩＰアドレスの有効期限を含めて送信する点、ステップＦ２２９において加入者情報ＤＢ２２に保持する情報としてＩＰアドレスに加えそのＩＰアドレスの有効期限が追加となる点が、第３の実施形態と異なっている。
【００８７】
次に、ＩＰ電話交換装置１がリブートなどで、揮発性記憶領域であるメインメモリ上の情報が消滅した場合における第５の実施形態の動作を、図１４のフローチャートを参照して説明する。
【００８８】
ＩＰ電話交換装置２１は、前記事象を契機に加入者情報ＤＢ２２を参照して、図１３に示した加入者に関するデータを収集する（Ｆ２５１）。そして  ＩＰ電話交換装置２１は、収集したＣＰＥ情報のうちＩＰアドレスが登録されており、かつそのＩＰアドレスの有効期限が満了していないＣＰＥに関する情報を収集し（Ｆ５５１）、この収集処理で対象外となった、つまり、ＩＰアドレスが未登録か、又は、ＩＰアドレスの有効期限が満了しているＣＰＥに関する情報を収集し、少なくともそれぞれのホスト名をパラメータとしてＤＤＮＳサーバ２８にＩＰアドレス解決を依頼してＩＰアドレスを取得する（Ｆ５５２）。
【００８９】
そして、ステップＦ５５１及びＦ５５２を経てＩＰアドレスが収集された全てのＣＰＥ２３に関してそれぞれ、第３の実施形態（や第２の実施形態）と同様な初期化指示やその返信に応じた処理（Ｆ１５２〜Ｆ１５４、Ｆ２５４、Ｆ２５５）を実行する。
【００９０】
第５の実施形態によれば、第２や第３の実施形態の効果に加え、ＩＰアドレスの有効期限が満了していないＣＰＥに関するＤＤＮＳサーバへの問い合わせを抑制することにより、ＤＤＮＳサーバの問い合わせに関わる負荷を軽減することができるという効果を奏する。
【００９１】
（Ｆ）他の実施形態
加入者情報ＤＢとＩＰ電話交換装置は物理的に同一のサーバで構成しても良い。また、加入者情報ＤＢのデータは、ＩＰ電話交換装置のリブート後は、ＩＰ電話交換装置のメインメモリ上にあっても良く、リブート後においても、逐一加入者情報ＤＢをアクセスする形態であっても良い。
【００９２】
ＩＰアドレス割当装置とＣＰＥとの間の手続き（プロトコル）は、ＤＨＣＰの他、ＰＰＰｏＥ（Ｐｏｉｎｔ−ｔｏ−Ｐｏｉｎｔ  Ｐｒｏｔｃｏｌ  ｏｖｅｒ  Ｅｔｈｅｒｎｅｔ（登録商標））などの他のプロトコルであっても良い。
【００９３】
ＣＰＥは、スプリッタ機能、モデム機能、ＶｏＩＰ  ＧＷ機能が同一の装置に搭載されていても良く、それぞれが別の装置で構成されていても良い。また、ＣＰＥとアナログ電話機とが１個の装置として構成されたものであっても良い。なお、ゲートウェイ（ＭＧ）はＣＰＥに限定されるものではない。
【００９４】
エンドポイント識別子を構成する情報として、ＭＡＣアドレスが使用されていれば、シリアル番号や電話番号のようなその他の情報が追加で適用されていても良い。
【００９５】
上記各実施形態は、ＶｏＩＰ電話システムを意図してなされたものであるが、音声以外を対象としたＩＰ通信システムに対しても、本発明を適用することができる。
【図面の簡単な説明】
【００９６】
【図１】第１の実施形態のＩＰ電話システムの構成を示すブロック図である。
【図２】第１の実施形態の加入者情報データベースのデータ構成図である。
【図３】第１の実施形態のＩＰアドレス割当時の動作を示すフローチャートである。
【図４】第１の実施形態のＩＰ電話交換装置のリブート時の動作を示すフローチャートである。
【図５】第２の実施形態のＩＰ電話システムの構成を示すブロック図である。
【図６】第２の実施形態の加入者情報データベースのデータ構成図である。
【図７】第２の実施形態のＩＰアドレス割当時の動作を示すフローチャートである。
【図８】第２の実施形態のＩＰ電話交換装置のリブート時の動作を示すフローチャートである。
【図９】第３の実施形態のＩＰアドレス割当時の動作を示すフローチャートである。
【図１０】第４の実施形態の加入者情報データベースのデータ構成図である。
【図１１】第４の実施形態のＩＰアドレス割当時の動作を示すフローチャートである。
【図１２】第４の実施形態のＩＰ電話交換装置のリブート時の動作を示すフローチャートである。
【図１３】第５の実施形態の加入者情報データベースのデータ構成図である。
【図１４】第５の実施形態のＩＰ電話交換装置のリブート時の動作を示すフローチャートである。
【符号の説明】
【００９７】
１、２１…ＩＰ電話交換装置、２、２２…加入者情報データベース（ＤＢ）、３、２３…加入者宅内装置（ＣＰＥ）、４…アナログ電話機、５、２５…ＩＰアドレス割当装置、６…インターネットサービスプロバイダ（ＩＳＰ）網、７…キャリア網、２８…ＤＤＮＳサーバ。
【図１】
2005347801.tif 000003
【図２】
2005347801.tif 000004
【図３】
2005347801.tif 000005
【図４】
2005347801.tif 000006
【図５】
2005347801.tif 000007
【図６】
2005347801.tif 000008
【図７】
2005347801.tif 000009
【図８】
2005347801.tif 000010
【図９】
2005347801.tif 000011
【図１０】
2005347801.tif 000012
【図１１】
2005347801.tif 000013
【図１２】
2005347801.tif 000014
【図１３】
2005347801.tif 000015
【図１４】
2005347801.tif 000016